(57)【特許請求の範囲】
【請求項１】
ランプ（１）がランプの長手軸線である共通軸線（Ａ−Ａ）に沿って直径方向に延びる２つの口金付きガラス球端部（３ａ、３ｂ）を備えたガラス球（３）を有し、口金付きガラス球端部（３ａ、３ｂ）がそれぞれ長手軸線（Ａ−Ａ）に関してほぼ回転対称に形成された口金シェル（４ａ、４ｂ）を備え、口金シェル（４ａ、４ｂ）がそれぞれ長手軸線（Ａ−Ａ）に垂直に向けられたストッパ面（８ａ、８ｂ）を有し、ソケットがガラス球（３）の口金付き端部（３ａ、３ｂ）を受入れるための受入部（１４ａ、１４ｂ）をそれぞれ備えた２つのソケット接触片（２ａ、２ｂ）を有し、各受入部（１４ａ、１４ｂ）が口金付きガラス球端部（３ａ、３ｂ）の保持領域（７ａ、７ｂ）の直径に合致し、ソケット接触片（２ａ、２ｂ）が長手軸線（Ａ−Ａ）に垂直に向けられたストッパ面（８ａ、８ｂ）に当接することによって、ランプ（１）がソケット接触片（２ａ、２ｂ）の受入部（１４ａ、１４ｂ）内でこのソケット接触片（２ａ、２ｂ）間に挟持されるソケット付き両口金形電灯において、
両口金シェル（４ａ、４ｂ）がそれぞれそのストッパ面（８ａ、８ｂ）に、長手軸線（Ａ−Ａ）に関する当該口金シェル（４ａ、４ｂ）の回転対称性を壊す段部（１０ａ，１０ｂ）を有し、ソケットのソケット接触片（２ａ、２ｂ）がそれぞれ対応する段部（１０ａ，１０ｂ）に合致する条帯状張出部（１５ａ、１５ｂ）を有し、条帯状張出部（１５ａ、１５ｂ）がランプ（１）をソケット接触片（２ａ、２ｂ）の受入部（１４ａ、１４ｂ）内へ差込むとストッパ面（８ａ、８ｂ）の対応する段部（１０ａ、１０ｂ）内へ嵌入してランプ（１）のための位置決め補助手段を形成することによって、ランプ（１）はガラス球端部（３ａ、３ｂ）をソケット接触片（２ａ、２ｂ）の受入部（１４ａ、１４ｂ）内へ差込む際段部（１０ａ、１０ｂ）と条帯状張出部（１５ａ、１５ｂ）とにより導かれることを特徴とするソケット付き両口金形電灯。
【請求項２】
ガラス球端部（３ａ、３ｂ）及びソケット接触片（２ａ、２ｂ）は点対称であり、すなわちランプ及びソケットを、長手軸線（Ａ−Ａ）に垂直でかつソケット接触片（２ａ、２ｂ）間の中心を通る適当な回転軸線を中心にして１８０°回転させると、第１口金付きガラス球端部（３ａ）が第２口金付きガラス球端部（３ｂ）に、第１押圧ばね（２ａ）が第２押圧ばね（２ｂ）に、特に第１押圧ばね（２ａ）の位置決め補助手段（１５ａ）が第２押圧ばね（２ｂ）の位置決め補助手段（１５ｂ）に、また第１ガラス球端部（３ａ）の位置決め補助手段（１０ａ）が第２ガラス球端部（３ｂ）の位置決め補助手段（１０ｂ）に一致することを特徴とする請求項１記載のソケット付き両口金形電灯。
【請求項３】
段部（１０ａ、１０ｂ）は深さが各ストッパ面（８ａ、８ｂ）の当該領域における口金シェル（４ａ、４ｂ）の肉厚より小さい削除部であることを特徴とする請求項１記載のソケット付き両口金形電灯。
【請求項４】
口金シェル（４ａ、４ｂ）及びソケット接触片（２ａ、２ｂ）は金属から構成されていることを特徴とする請求項１記載のソケット付き両口金形電灯。
【請求項５】
ランプ（１）がランプの長手軸線である共通軸線（Ａ−Ａ）に沿って直径方向に延びる２つの口金付き端部（３ａ、３ｂ）を備えたガラス球（３）を有し、ガラス球（３）の両端部（３ａ、３ｂ）がそれぞれ長手軸線（Ａ−Ａ）に関してほぼ回転対称に形成された金属製口金シェル（４ａ、４ｂ）を備え、口金シェル（４ａ、４ｂ）がそれぞれ長手軸線（Ａ−Ａ）に垂直に向けられたストッパ面（８ａ、８ｂ）を有する両口金形電灯において、
ストッパ面（８ａ、８ｂ）がそれぞれ長手軸線（Ａ−Ａ）に関する口金シェル（４ａ、４ｂ）の回転対称性を壊す切欠の形の段部（１０ａ、１０ｂ）を有し、段部（１０ａ、１０ｂ）は、ランプ（１）を長手軸線（Ａ−Ａ）に垂直でかつ両口金シェル（４ａ、４ｂ）間の中心を通る適当な回転軸線を中心にして１８０°回転させると両口金シェル（４ａ、４ｂ）の段部（１０ａ、１０ｂ）が一致するように配置されていることを特徴とする両口金形電灯。
【請求項６】
ランプ（１）は交流電流を供給され、口金付きガラス球端部（３ａ、３ｂ）は電気接続部として形成されていることを特徴とする請求項５記載の両口金形電灯。
【発明の詳細な説明】
【０００１】
【発明の属する技術分野】
本発明は、ランプがランプの長手軸線である共通軸線に沿って直径方向に延びる２つの口金付きガラス球端部を備えたガラス球を有し、口金付きガラス球端部がそれぞれ長手軸線に関してほぼ回転対称に形成された口金シェルを備え、口金シェルがそれぞれ長手軸線に垂直に向けられたストッパ面を有し、ソケットがガラス球の口金付き端部を受入れるための受入部をそれぞれ備えた２つのソケット接触片を有し、各受入部が口金付きガラス球端部の保持領域の直径に合致し、ソケット接触片が長手軸線に垂直に向けられたストッパ面に当接することによって、ランプがソケット接触片の受入部内でこのソケット接触片間に挟持される、好ましい姿勢を持つソケット付き両口金形電灯に関する。
【０００２】
さらに、本発明は、ランプがランプの長手軸線である共通軸線に沿って直径方向に延びる２つの口金付き端部を備えたガラス球を有し、ガラス球の両端部がそれぞれ長手軸線に関してほぼ回転対称に形成された金属製口金シェルを備え、口金シェルがそれぞれ長手軸線に垂直に向けられたストッパ面を有する、好ましい姿勢を持つ両口金形電灯に関する。
【０００３】
【従来の技術】
両口金形電灯とこの種のランプ用のソケットとを組み合わせた請求項１の前文に相当するソケット付き両口金形電灯は写真光学分野で使用されている両口金形高圧放電ランプ及びそのソケット用に一般的に使用されている。これらは既に相当以前から市販されている。このソケットは通常投映機器又は反射形照明器具内に組込まれており、上述した両口金形高圧放電ランプはガラス球の長手軸線に沿って直径方向に延在する２つの口金付き端部を備えたガラス球を有している。このガラス球は特に口金領域がガラス球の長手軸線に関してほぼ回転対称に形成され、一方ランプ自体は非回転対称でありかつ十分に好ましい点灯姿勢を有している。請求項５の前文に相当するこの種のランプは例えばヨーロッパ特許出願公開第０４４７６６８号公報に記載されている。
【０００４】
ガラス球の長手軸線に関するランプの回転対称性は、例えば、ガラス球壁の中心に配置された排気管突起部によって壊される。ランプを投映機器又は反射形照明器具内に組込む際、使用者はこの排気管突起部が光結像を妨害しないように注意しなければならない。このために、ソケット内に差込まれたランプは所定の姿勢つまりその好ましい点灯姿勢へ回転されなければならず、それにより排気管突起部は光結像のために利用されない位置へもたらされる。
【０００５】
好ましい点灯姿勢を持つ従来の通常の両口金形電灯及びそれに所属するソケットの重大な欠点は、ランプが専ら好ましい点灯姿勢で取付けられ得ることを保証する位置決め補助手段をこれらの両口金形電灯及びそのソケットが備えていない点にある。ガラス球端部の口金領域、特にガラス球端部の口金シェル、ならびにその口金シェルに合致するソケットの回転対称構造はむしろランプのほぼ任意の取付姿勢を可能にし、それゆえ使用者は上述したランプ及びソケットの場合には使用マニュアルを見て初めて専門的に正しい取付け方を知り、排気管突起部の正しい姿勢さえも注意しなければならない。使用者がこの場合に十分な注意を払うことを怠ると、うまくいっても悪い光結像が生じるだけであり、うまくいかない場合にはランプが破壊される。
【０００６】
【発明が解決しようとする課題】
本発明の課題は、好ましい点灯姿勢を持つソケット付き両口金形電灯ならびに両口金形電灯を提供し、それにより一方では口金つまり口金シェルを備えたランプが正確な向きですなわち好ましい点灯姿勢で、ソケットを装備した光学機器内へ差込まれ、他方ではこのランプが従来一般的に使用されていたソケットをまだ装備している光学機器内にも取付けることができることを保証することにある。
【０００７】
【課題を解決するための手段】
ソケット付き両口金形電灯に関する課題は、本発明によれば、両口金シェルがそれぞれそのストッパ面に、長手軸線に関する当該口金シェルの回転対称性を壊す段部を有し、ソケットのソケット接触片がそれぞれ対応する段部に合致する条帯状張出部を有し、条帯状張出部がランプをソケット接触片の受入部内へ差込むとストッパ面の対応する段部内へ嵌入してランプのための位置決め補助手段を形成することによって、ランプはガラス球端部をソケット接触片の受入部内へ差込む際段部と条帯状張出部とにより導かれることによって解決される。
【０００８】
両口金形電灯に関する課題は、本発明によれば、ストッパ面がそれぞれ長手軸線に関する口金シェルの回転対称性を壊す切欠の形の段部を有し、段部は、ランプを長手軸線に垂直でかつ両口金シェル間の中心を通る適当な回転軸線を中心にして１８０°回転させると両口金シェルの段部が一致するように配置されていることによって解決される。
【０００９】
両口金形電灯とこの種のランプ用のソケットとを組み合わせた本発明によるソケット付き両口金形電灯において、ガラス球端部は、ランプ長手軸線に垂直に配置され口金領域におけるガラス球端部の回転対称性を壊す段部を備えたストッパ面を有しており、一方ソケットに所属しストッパ面に締付けるように当接するソケット接触片はその段部に合致する条帯状張出部を備えている。ストッパ面における段部と、ソケット接触片における条帯状張出部とはランプのための位置決め補助手段を形成する。これらはランプが姿勢正しくソケット内へ差込まれ得ることを保証する。ガラス球端部をこのガラス球端部のためにソケット接触片に設けられた受入部内へ差込む際、ストッパ面における段部と、ソケット接触片における条帯状張出部とはガイド要素として作用する。
【００１０】
ガラス球端部がそれぞれ口金シェルを担持し、ストッパ面がこの口金シェルの構成要素であると有利である。ストッパ面には段部が形成され、ソケット接触片には条帯状張出部が形成される。その段部がストッパ面つまり口金シェルの底部に設けられた僅かな深さの削除部であると有利である。この削除部は簡単に設けることができ、ランプの保持領域におけるガラス球端部の直径もまたランプの長さつまりストッパ面との距離も変えることがなく、それゆえ本発明による口金を備えたランプは位置決め補助手段を備えていない従来のソケットを装備している機器内にも取付けることができる。
【００１１】
位置決め補助手段は、ガラス球端部及びソケット接触片がランプ中心点に関して点対称に配置されるように、すなわちランプ及びソケットを、長手軸線に対して垂直に配置されかつソケット接触片間の中心もしくはガラス球端部間の中心を通る適当な回転軸線を中心にして１８０°回転させると、第１口金付きガラス球端部が第２口金付きガラス球端部に、第１押圧ばねが第２押圧ばねに一致するように、ストッパ面及びソケット接触片に設けられる。位置決め補助手段をこのように配置することによって、口金付き両ガラス球端部はランプをソケット内へ取付ける際同等であるすなわち互いに交換可能になるという利点が得られる。
【００１２】
また、交流電流を供給されるランプの場合、電気接続部の極性に注意する必要がない。特に、位置決め補助手段の上述した配置は交流電流で点灯されるランプの場合、ランプとソケットとの間に接続ケーブルを使用することなく、そのガラス球端部を直接電気接続部として有利に形成することができる。他方では、位置決め補助手段の上述した配置は、例えば、上面が下方へ向いたままランプがソケット内へ差込まれるのを阻止する。
【００１３】
ストッパ面及びそれに設けられた位置決め補助手段がガラス球端部に設けられた金属製口金シェルの構成要素であると有利である。この口金シェル及びソケット接触片はランプの保持手段の他にさらに両口金形電灯の電気接続部としても役立つ。
【００１４】
【実施例】
次に本発明の実施例を図面について詳細に説明する。
【００１５】
図１には本発明の優れた実施形態によるソケットを備えた両口金形高圧放電ランプ１が示されている。このランプは特に交流電流を供給される約５７５Ｗの入力電力を有するメタルハライド高圧放電ランプである。ソケットの図示されている接触片２ａ、２ｂは例えばビデオプロジェクタ又はオーバヘッドプロジェクタ内に組込まれている。ランプ１は放電室３ｃの両側に直径方向に配置され気密に閉鎖された２つの端部３ａ、３ｂを備えた石英ガラス製ガラス球３を有している。２つの端部３ａ、３ｂはランプ１の長手軸線Ａ−Ａに沿って延びている。ガラス球３はここではランプ１の放電管と同一物である。ガラス球端部つまり放電管端部３ａ、３ｂはモリブデン密封箔が気密に封着されているガラス球筒部として形成されている。モリブデン密封箔は放電室３ｃ内へ突入してランプ点灯中にガス放電を形成するランプ電極への電圧供給に使われる。ガラス球筒部３ａ、３ｂはその自由端部にそれぞれ金属製口金シェル４ａ、４ｂを担持しており、これらの口金シェル４ａ、４ｂは対応するガラス球筒部のモリブデン密封箔と導電結合されている。ガラス球３はガラス球筒部３ａ、３ｂの領域がランプ長手軸線Ａ−Ａに関して回転対称に形成されている。放電室３ｃの領域ではガラス球３の回転対称性は溶断された排気管に起因する排気管突起部５によって壊されている。高圧放電ランプ１は水平姿勢で、すなわち放電区間が水平に位置するようにして点灯される。ランプ点灯中、ガラス球３は排気管突起部５が上方に向くように位置合わせされる。ランプ１の正しい取付姿勢を保証するために、ランプ長手軸線Ａ−Ａに関してほぼ回転対称に形成されてガラス球筒部３ａ、３ｂの自由端部に差込まれる金属製口金シェル４ａ、４ｂと、ソケットのソケット接触片２ａ、２ｂとは互いに合致する位置決め補助手段を備えている。金属製口金シェル４ａ、４ｂは直径の異なった２つの互いに隣接する部品６ａ、７ａもしくは６ｂ、７ｂを有している。各口金シェル４ａ、４ｂの両管状部品６ａ、６ｂもしくは７ａ、７ｂはランプ長手軸線Ａ−Ａに対して垂直に配置された円環板状ストッパ面８ａもしくは８ｂ（図示せず）を形成している。口金シェル４ａもしくは４ｂの第１管状部品６ａもしくは６ｂはその第２管状部品７ａもしくは７ｂより大きな直径を有している。ガラス球筒部３ａもしくは３ｂの自由端部は口金シェル４ａもしくは４ｂの第１管状部品６ａもしくは６ｂ内に固定される。第２管状部品７ａもしくは７ｂの開口端部は金属製口金ピン９ａもしくは９ｂ（図示せず）によって閉鎖されている。口金シェル４ａ、４ｂのストッパ面８ａ、８ｂは約１．５ｍｍの深さの削除部１０ａ、１０ｂ（図示せず）をそれぞれ備えている。この削除部１０ａ、１０ｂはランプ長手軸線Ａ−Ａに対して垂直に延びる直線状縁部を備えたストッパ面８ａ、８ｂに段部をそれぞれ形成している。この削除部１０ａ、１０ｂの深さはストッパ面８ａ、８ｂの領域における口金シェル４ａ、４ｂの肉厚より小さい。両口金シェル４ａ、４ｂは同一に成形されている。
【００１６】
ソケット接触片２ａ、２ｂは同様に同一に成形されている。このソケット接触片２ａ、２ｂは金属から構成され、主としてアングルの形態を有している。ソケット接触片２ａ、２ｂは接触面１１ａもしくは１１ｂ（図示せず）と、この接触面１１ａもしくは１１ｂの下側縁部から直角に折曲げられた脚部１２ａもしくは１２ｂ（図示せず）を有している。接触面１１ａもしくは１１ｂの上側縁部には傾斜片１３ａもしくは１３ｂ（図示せず）が一体成形されている。ソケット接触片２ａ、２ｂは接触面１１ａ、１１ｂの領域にそれぞれスリット状切欠１４ａ、１４ｂを有しており、このスリット状切欠１４ａ、１４ｂ（図示せず）は傾斜片１３ａもしくは１３ｂ内まで延びている。さらに、ソケット接触片２ａ、２ｂは条帯状張出部１５ａもしくは１５ｂを有しており、この条帯状張出部１５ａもしくは１５ｂはスリット状切欠１４ａもしくは１４ｂの横で接触面１１ａもしくは１１ｂより突出し、切欠１４ａもしくは１４ｂに平行に延在している。スリット状切欠１４ａ、１４ｂの幅は口金シェル４ａ、４ｂの第２管状部品７ａ、７ｂの直径に合致している。ソケット接触片２ａ、２ｂはランプ１への電流供給のためにも使われる。電気的接触はソケット接触片２ａ、２ｂの接触面１１ａ、１１ｂ及び口金シェル４ａ、４ｂのストッパ面８ａ、８ｂを介して行われる。口金シェル４ａ、４ｂはここでは、ランプとソケットとの間にリードケーブル又は接続ケーブルを使用することなく、ランプ１の電気接続部として直接使われている。
【００１７】
ランプ１をソケット内に差込むと、口金シェル４ａ、４ｂの第２部品７ａ、７ｂがソケット接触片２ａ、２ｂの切欠１４ａ、１４ｂ内へ嵌入し、それによりソケット接触片２ａ、２ｂの接触面１１ａ、１１ｂが口金シェル４ａ、４ｂのストッパ面８ａ、８ｂに締付けるように当接する。その際、ソケット接触片２ａ、２ｂの条帯状張出部１５ａ、１５ｂが口金シェル４ａ、４ｂの削除部１０ａ、１０ｂ内へ係合する。削除部１０ａ、１０ｂと条帯状張出部１５ａ、１５ｂとは、口金付きガラス球端部３ａ、３ｂを受入れるための受入部として使われる切欠１４ａ、１４ｂとの組み合わせにおいて、排気管突起部５が上方に向いたままでランプ１をソケットのソケット接触片２ａ、２ｂ内へ差込むことを保証する。排気管突起部５がランプ１の取付時に例えば下方に向くと、条帯状張出部１５ａ、１５ｂは口金シェル部品７ａ、７ｂがソケット接触片２ａ、２ｂの受入部１４ａ、１４ｂ内へ導入されるのを阻止する。
【００１８】
口金付きガラス球端部３ａ、３ｂと、位置決め補助手段１０ａ、１０ｂ、１５ａ、１５ｂを備えたソケット接触片２ａ、２ｂとはランプ中心点に関して点対称であり、その場合ランプ中心点はガラス球端部３ａ、３ｂ間の中心に、つまりランプ長手軸線Ａ−Ａ上のソケット接触片２ａ、２ｂ間の中心に位置している。すなわち、口金付きガラス球端部３ａ、３ｂとソケット接触片２ａ、２ｂとは、ランプ１及びソケットを、長手軸線に対して垂直でかつソケット接触片２ａ、２ｂ間の中心を通る適当な回転軸線を中心にして１８０°回転させると、口金付き第１ガラス球端部３ａを口金付き第２ガラス球端部３ｂに、第１押圧ばね２ａを第２押圧ばね２ｂに、特に第１押圧ばね２ａの位置決め補助手段１５ａを第２押圧ばね２ｂの位置決め補助手段１５ｂに、第１ガラス球端部３ａの位置決め補助手段１０ａを第２ガラス球端部３ｂの位置決め補助手段１０ｂに一致させる。特に上述した点対称性により、両ガラス球端部３ａ、３ｂが完全に同等となる。すなわちランプ１は取付時に、ガラス球端部３ａが押圧ばね２ａの受入部１４ａ内へ又は押圧ばね２ｂの受入部１４ｂ内へ嵌入するように向けてもよい。位置決め補助手段１０ａ、１０ｂ、１５ａ、１５ｂは排気管突起部が上方へ向いたままランプ１をソケット内へ差込むことを保証する。本発明による位置決め補助手段１０ａ、１０ｂ、１５ａ、１５ｂはストッパ面８ａ、８ｂとの距離もまたランプ１の保持領域における口金シェル４ａ、４ｂ（ソケット接触片２ａ、２ｂの受入部１４ａ、１４ｂ内へ嵌入する口金シェル４ａ、４ｂの第２管状部品７ａ、７ｂ）の直径も変えることがないので、本発明によるランプ１は従来のソケットをまだ備えている光学機器内にも取付けることができる。
【００１９】
本発明は上記において詳細に説明した実施形態に限定されない。例えば、ランプはランプの放電管を包囲する両口金形外管を備えた高圧放電ランプであってもよい。この場合、ガラス球は外管と同一物となる。さらに、排気管突起部は優れた実施形態とは異なった向きを有することもできる。その上、ランプの好ましい点灯姿勢は必ずしも排気管突起部によって規定されることはない。鎌形に上方へ湾曲させられた放電管は同様にランプの好ましい点灯姿勢を定めることができる。ランプの好ましい点灯状姿勢はほぼ棒状の放電管を外管の内部に非同軸的に配置することによっても定めることができる。その上、ランプは例えば排気管突起部の如きガラス球の光透過性を乱す不規則物をガラス球上に有する管形ガラス球を備えた白熱電球であってもよい。
【図面の簡単な説明】
【図１】ソケットを含む本発明による両口金形電灯の一実施例の概略側面図。
【図２】ソケットを含む本発明による両口金形電灯の一実施例の一部分を断面で示した概略上面図。
【図３】本発明の一実施例によるランプの口金シェルの概略側面図。
【図４】図３に示す口金シェルの位置決め補助手段付きストッパ面の概略平面図。
【図５】図１に示す実施例によるソケットの押圧ばねの位置決め補助手段付き載置面すなわち接触面の概略斜視図。
【符号の説明】
１  ランプ
２ａ、２ｂ  ソケット接触片
３  ガラス球
３ａ、３ｂ  ガラス球筒部
３ｃ  放電室
４ａ、４ｂ  口金シェル
５  排気管突起部
６ａ、６ｂ、７ａ、７ｂ  管状部品
８ａ、８ｂ  ストッパ面
９ａ、９ｂ  金属製口金ピン
１０ａ、１０ｂ  削除部
１１ａ、１１ｂ  接触面
１２ａ、１２ｂ  脚部
１３ａ、１３ｂ  傾斜片
１４ａ、１４ｂ  切欠
１５ａ、１５ｂ  条帯状張出部
【図１】
0003542870.tif 000002
【図２】
0003542870.tif 000003
【図３】
0003542870.tif 000004
【図４】
0003542870.tif 000005
【図５】
0003542870.tif 000006